(57)【特許請求の範囲】
【請求項１】
底壁を物品等に付された電子タグと対向させるアンテナ配置部とした筐体、この筐体に設けられた把手部からなる本体と、前記アンテナ配置部に配設されたアンテナと、前記本体内に設けられ前記アンテナを介して前記電子タグからの情報の読取または電子タグへの情報の書込みをするための送受信手段とを備え、前記アンテナ配置部を電子タグに対向させて電子タグからの情報の読取または電子タグへの情報の書込みを行うハンデーターミナルにおいて、前記アンテナ配置部の平坦面に形成された底面が四角形であって、このアンテナ配置部に配設される前記アンテナを、アンテナ配置部の外周部を含む略全領域に亘って平面状に埋設したことを特徴とするハンデーターミナル。
【請求項２】
底壁を物品等に付された電子タグと対向させるアンテナ配置部とした筐体、この筐体に設けられた把手部からなる本体と、前記アンテナ配置部に配設されたアンテナと、前記本体内に設けられ前記アンテナを介して前記電子タグからの情報の読取または電子タグへの情報の書込みをするための送受信手段とを備え、前記アンテナ配置部を電子タグに対向させて電子タグからの情報の読取または電子タグへの情報の書込みを行うハンデーターミナルにおいて、前記アンテナ配置部の平坦面に形成された底面が四角形であって、このアンテナ配置部の外周部を前記筐体の外周側壁よりも外方に延出させて形成するとともに、前記アンテナをアンテナ配置部の外周部を含む略全領域に亘って平面状に埋設したことを特徴とするハンデーターミナル。
【発明の詳細な説明】
【０００１】
【発明の属する技術分野】
この発明は、物品等に付された電子タグに記憶された情報を読取あるいは書込むためのハンデーターミナルに関する。
【０００２】
【従来の技術】
従来、スーパーマーケット等におけるＰＯＳシステム等における登録・精算業務および商品情報管理は、品名・価格等の商品情報を記録したバーコードをレーザー光を用いたスキャナーにより読み取る方法が一般的である。また、物品の配送管理システムにおける配送管理、製品の入出庫管理システムにおける入出庫管理においても前記バーコードが用いられている。
【０００３】
しかし、近時上記管理を内部に記憶容量の大きいメモリーを有する電子タグを前記バーコードラベルに代えこの電子タグに記憶された商品情報等を読み取る電子タグシステムが採用されるようになってきている。この電子タグシステムにおいては、個々の電子タグに記憶されている情報の読み取りあるいは個々の電子タグへの情報の書込みは、ハンデー式の書込読取装置であるハンデーターミナルによって行うようになっている。
【０００４】
このハンデーターミナルは、筐体部とこの筐体部に一体に設けられた把手部とから本体を構成し、前記筐体部の底壁にアンテナを配設するとともに、本体内に送受信手段を設けこの送受信手段を動作させて前記アンテナを介して電子タグに記憶された情報の読み出し、または電子タグへの情報の書込をなすものである。
ところで、前記アンテナは筐体部の底壁の略中央部に配設されていることから、電子タグの情報を読み出す際は把手部を手で握り前記アンテナを電子タグに対向させて送受信手段を介して読み出すものである。しかし、前記アンテナは筐体部の底壁の中央部に配設されているとともに、ハンデーターミナルを電子タグに接触させる程度まで近接させてアンテナを電子タグに対向させることから、アンテナは筐体部の上部によって隠されてしまい、アンテナを電子タグに正確に対向させることが難しく、その結果情報の読取効率が悪くなる。したがって、操作者は一旦筐体部を裏返してアンテナの位置を確かめた後、底壁のアンテナが位置していると思われる部位を電子タグに対向させるように操作する等しているものであり操作性が悪いものである。このことは電子タグに情報を書込む場合も同様である。
【０００５】
【発明が解決しようとする課題】
上述のように従来の電子タグの情報の読み出しあるいは書込みをするハンデーターミナルは、アンテナが筐体部の底壁の略中央部に配設されていることから、アンテナを電子タグに正確に対応させることが難しく読取・書込効率が悪くなるという問題がある。また、操作者は可能な限りアンテナを電子タグに正確に対応させるためには、一旦筐体部を裏返してアンテナの位置を確かめた後、底壁のアンテナが位置していると思われる部位を電子タグに対向させるように操作する必要があるので、操作性が悪いという問題がある。
【０００６】
【課題を解決するための手段】
この発明は上記事情に鑑みてなされたもので、請求項１記載の発明は、底壁を物品等に付された電子タグと対向させるアンテナ配置部とした筐体、この筐体に設けられた把手部からなる本体と、前記アンテナ配置部に配設されたアンテナと、前記本体内に設けられ前記アンテナを介して前記電子タグからの情報の読取または電子タグへの情報の書込みをするための送受信手段とを備え、前記アンテナ配置部を電子タグに対向させて電子タグからの情報の読取または電子タグへの情報の書込みを行うハンデーターミナルにおいて、前記アンテナ配置部の平坦面に形成された底面が四角形であって、このアンテナ配置部に配設される前記アンテナは、アンテナ配置部の外周部を含む略全領域に亘って平面状に埋設したハンデーターミナルとしたものである。
【０００７】
このように請求項１記載の発明は、本体の筐体部の底壁をアンテナ配置部とするとともに、アンテナを前記アンテナ配置部の外周部を含む略全領域に亘って配設したことから、ハンデーターミナルを電子タグに近接させてもアンテナを電子タグに容易にかつ正確に対向させることができるため、電子タグからの情報の読取または電子タグへの情報の書込の効率を向上させることができ、また、操作性を良くできるという作用を有するものである。
【０００８】
また、請求項２記載の発明は、底壁を物品等に付された電子タグと対向させるアンテナ配置部とした筐体、この筐体に設けられた把手部からなる本体と、前記アンテナ配置部に配設されたアンテナと、前記本体内に設けられ前記アンテナを介して前記電子タグからの情報の読取または電子タグへの情報の書込みをするための送受信手段とを備え、前記アンテナ配置部を電子タグに対向させて電子タグからの情報の読取または電子タグへの情報の書込みを行うハンデーターミナルにおいて、前記アンテナ配置部の平坦面に形成された底面が四角形であって、このアンテナ配置部の外周部を前記筐体の外周側壁よりも外方に延出させて形成するとともに、前記アンテナをアンテナ配置部の外周部を含む略全領域に亘って平面状に埋設したハンデーターミナルとしたものである。
【０００９】
このように請求項２記載の発明は、本体の筐体部の底壁の外周部を前記筐体の外周側壁よりも外方に延出させてアンテナ配置部とし、このアンテナ配置部の外周部を含む略全領域に亘ってアンテナを配設したことから、アンテナ配置部の外周部は筐体部の外周側壁よりも外方に延出しているため、アンテナ配置部の位置を目視によって確認できることから、ハンデーターミナルを電子タグに近接させてもアンテナを電子タグに容易にかつ正確に対向させることができるため、電子タグからの情報の読取または電子タグへの情報の書込の効率を向上させることができ、また、操作性を良くできるという作用を有するものである。
【００１０】
【発明の実施の形態】
つぎに、この発明の実施の形態を図１ないし図３に基づいて説明する。
【００１１】
図において符号１はハンデーターミナルであり、このハンデーターミナル１は、筐体部１０とこの筐体部１０に一体に形成された把手部２０とからなる本体２、この本体２内に設けられた図示しない、マイクロプロセッサー等からなる制御手段、この制御手段によって制御され読取または書込を行う送受信手段、ＲＯＭ（リードオンリーメモリー）・ＲＡＭ（ランダムアクセスメモリー）等からなるメモリー手段、前記制御手段の制御より前記メモリー手段（ＲＡＭ）に記憶された情報を例えばＰＯＳシステムの端末機等上位機種との情報のやりとりを行う入出力手段、表示器制御手段およびバッテリーを含む電源装置等から構成されている。
【００１２】
そして、前記筐体部１０は、側面方向の投影が先細のクサビ状に形成されるとともに上方からの投影は略正方形状に形成されている。また、この筐体部１０の一端部側つまり後部には、図１、図２に示すように把手部２０が一体に設けられている。
【００１３】
また、筐体部１０の底壁１１の底面は平坦面に形成されるともに、この底壁１１に前記把手部２０が設けられている側を除いて、筐体部１０の外周側壁つまり前壁１２ａ、側壁１２ｂ、１２ｃの壁面よりも外方に延出させて形成されており、このことによって筐体部１０を上方から見たとき、前記延出された底壁１１の部分（以下外周部という）１１ａは目視できるようになっている。そして前記外周部１１ａを含む底壁１１は、アンテナ配置部を構成しているものである。
【００１４】
また、前記底壁１１と前記把手部２０とは、把手部２０を手で握り底壁１１を電子タグＴと平行に対向させる際に把手部２０を握った手をできるだけ自然な状態で対向させることができるように、側面方向の投影が略く字状に形成されている。
【００１５】
また、筐体部１０の上面は後部にいくにつれて次第に高くなる傾斜面に形成されており、この上面には表示器１４が設けられている。
【００１６】
また、前記底壁１１の底面側には図３に示すようにアンテナ１５が埋設して配設されており、このアンテナ１５は図１、図２に示すように、前記底壁１１の外周部１１ａの最外周縁部から中心部に向けて渦巻状にかつ平面状にして埋設されている。このことによって、底壁１１を図示しない電子タグＴに対向させる際に前記外周部１１ａが目視できるとともに、アンテナ１５はこの外周部１１ａの最外周縁部にまで埋設されていることから、電子タグＴに前記底壁１１つまりアンテナ配設部を電子タグＴに対向させることが容易であり、また、対向させた際はアンテナ１５を確実に電子タグＴに対応させることができるものである。したがって、電子タグＴの情報の読取および書込の効率の向上をさせることができ、また、操作性を良くできるものである。
【００１７】
なお、前記電子タグＴに書き込まれる情報あるいは読み取られる情報の内容は、その用途によって異なるが、例えば商品の販売管理等を行うＰＯＳシステムの場合においては、商品名を示す商品コード、商品を扱う部門を示す部門コード、商品の価格等である。
【００１８】
また、前記把手部２０には、電子タグＴに情報を入力するためのテンキー２１、電子タグＴに情報を書込ませるための書込モードを設定するための書込モード設定キー２２、電子タグＴから情報を読み取るための読取モードを設定するための読取モード設定キー２３が配設されている。
【００１９】
また、前記筐体部１０の把手部２０の近傍には、書込モードとして入力すべき情報をテンキー２１により設定した後書込動作を実行させる機能と、読取モードとして電子タグＴの情報を読取る読取動作を実行させる機能とを有する書込・読取キー２４が設けられている。また、把手部２０には誤った情報を設定したときにこの情報をクリアーするクリアーキー２５が設けられている。
【００２０】
そして、前記電子タグＴに情報を書込む場合は、前記書込モード設定キー２２により書込モードとし、前記テンキー２１を操作して書込む情報を設定した後、上から見て外周部１１ａで電子タグＴが隠れるようにハンデーターミナル１を位置させて、底壁１１を電子タグＴに略接触する程度に底壁１１を近接させて対向させ、ついで書込・読取キー２４を操作することにより前記設定された情報は、前記電子タグＴに確実に書込まれる。つまり、書込・読取キー２４の操作により、前記図示しない送信機が動作し前記アンテナ１５を介して電子タグＴにエネルギーが供給され、電子タグＴはこの供給されたエネルギーによって受信動作をし前記アンテナ１５を介して送信機から送信される前記設定された情報を内部メモリーに記憶つまり書き込むものである。
【００２１】
また、電子タグＴから情報を読み取る場合は、前記読取モード設定キー２３を操作し読取モードに設定した後、上から見て外周部１１ａで電子タグＴが隠れるようにハンデーターミナル１を位置させて、前記筐体部１０の底壁１１つまりアンテナ配設部を電子タグＴに対向させ、略接触する程度に底壁１１を近接させついで前記書込・読取キー２４を操作する。この操作がされると書込みの場合と同様、電子タグＴに記憶されている情報を確実にハンデーターミナル１で読み取ることができる。すなわち送信機が動作し前記アンテナ１５を介して電子タグＴにエネルギーが供給され、電子タグＴはこの供給されたエネルギーによって送信動作をし内部メモリーに記憶されている情報をハンデーターミナル１の受信機に送信する。ハンデーターミナル１は電子タグＴからの情報を受信するとこの情報をメモリー手段（ＲＡＭ）に記憶つまり格納する。
【００２２】
そして、この記録された情報はハンデーターミナル１を上位機種に接続し前記図示しない入出力手段を介して上位機種に出力するものである。
【００２３】
また、前記テンキー２１によって入力された情報、または電子タグＴから読み取られた情報は前記表示器１４に表示されその内容を確認できるようになっている。
【００２４】
つぎに、上記のように構成されたハンデーターミナル１の操作について説明する。
【００２５】
まず、電子タグＴに情報を書込む場合の操作について説明する。
【００２６】
この場合は、上述のように前記書込モード設定キー２２を操作し書込モードに設定する。ついで、前記テンキー２１を操作して書込むべき情報を設定すると、この設定された情報は前記表示器１４に表示されることから、設定された情報が正しいか否かを確認した後、アンテナ配設部である底壁１１を電子タグＴに近接させて電子タグＴが外周部１１ａに隠れるように対向させ、ついで書込・読取キー２４を操作する。このことにより前記設定された情報は前記電子タグＴに確実に書込まれるものである。そして、この書込みは書込・読取キー２４の操作の都度なされるものであり、複数の電子タグＴに同一の情報を書き込む場合は、書き込むべき電子タグＴ毎に前記底壁１１を対向させ書込・読取キー２４の操作することにより順次書き込みがなされるものである。
【００２７】
また、書き込む情報が異なる場合は再度前記テンキー２１を操作して書込むべき情報を設定した後同様の操作をなすことにより書き込みを行うことができるものである。
【００２８】
そして、アンテナ配設部である底壁１１を電子タグＴに対向させる際は、底壁１１の外周部１１ａが筐体部１０の外周側壁よりも外方に延出していることから、上から見て電子タグＴが隠れるようにハンデーターミナル１を位置させて底壁１１を電子タグＴに近接させるだけで、アンテナ１５の配置位置を確認しなくとも確実に認識できるため電子タグＴに対向させることが容易にできるものであり、また、アンテナ１５は底壁１１の外周部１１ａの最外周縁部から中心部に向けて外周部１１ａを含む底壁１１の略全領域に亘って埋設されていることから、確実に情報を電子タグＴに書き込むことができるものである。
【００２９】
つぎに、電子タグＴから情報を読み取る場合の操作について説明する。
【００３０】
この場合は、前記読取モード設定キー２３を操作し読取モードに設定する。
【００３１】
ついで、上から見て電子タグＴが隠れるようにハンデーターミナル１を位置させて前記底壁１１つまりアンテナ配設部を電子タグＴに近接させて対向させ、ついで、前記書込・読取キー２４を操作することにより上述したように電子タグＴからハンデーターミナル１の受信機に情報が送信され、この送信された情報はメモリー手段（ＲＡＭ）に格納される。また、この読み取られた情報は前記表示器１４に表示される。
【００３２】
そして、上記読み取りは書込・読取キー２４の操作の都度なされるものであることから、この操作を繰り返すことにより多数の電子タグＴの情報を連続して読み取ることができるとともに、この読み取られた情報は前記メモリー手段（ＲＡＭ）に格納されるものである。そして、このメモリー手段に格納された情報を上位機種に出力する場合は、ハンデーターミナル１を前記上位機種に接続することによって前記入出力手段を介してなされるものである。
【００３３】
そして、この電子タグＴから情報を読み取る場合の操作においても、書込操作の場合と同様、底壁１１の外周部１１ａが筐体部１０の外周側壁よりも外方に延出しており、上からこの外周部１１ａが見えるためアンテナ１５の配置位置を確認しなくとも確実に認識できるため、電子タグＴに対向させることが容易にできるものであり、また、アンテナ１５は底壁１１の外周部１１ａの最外周縁部まで埋設されていることから確実に情報を読み取ることができるものである。
【００３４】
このように底壁１１の外周縁つまり外周部１１ａを前記筐体部１０の外周側壁よりも外方に延出させてアンテナ配置部とし、このアンテナ配置部の外周部つまり前記外周部１１ａを含む底壁の略全領域に亘ってアンテナ１５を配設したことから、アンテナ配置部の外周部は筐体部１０の外周側壁の壁面よりも外方に延出しているため、操作の際目視によって確認できるためアンテナ１５を電子タグＴに容易にかつ正確に対向させることができるため、電子タグＴからの情報の読取または電子タグＴへの情報の書込の効率を向上させることができ、また、操作性を良くできるものである。
【００３５】
なお、上記実施の形態においては、アンテナ配置部の外周部である底壁１１の外周部１１ａを筐体部１０の外周側壁つまり前壁１２ａ、側壁１２ｂ、１２ｃの３の外周側壁の外方に延出させて形成する構成としたが、これは図４に示すように左右の側壁１２ｂおよび１２ｃ側にのみ延出させて、外周部１１ｂ、１１ｂを設ける構成としてもよく、また、図５に示すように前壁１２ａの外周側壁側にのみ外周部１１ｃを形成する構成としてもよいものである。このように構成した場合においても操作の際は前記外周部１１ｂ、１１ｂおよび外周部１１ｃを目視できることから、アンテナ１５を電子タグＴに容易にかつ正確に対向させることができるものであり、電子タグＴの情報の読取および書込の効率の向上をさせることができるとともに操作性を良くできるものである。
【００３６】
また、底壁１１の底面最外周縁部を含めて底壁１１の略全領域にアンテナ１５を配設した場合は、筐体部１０の外周側壁から外方に延出させて形成する外周部は省略してもよいものである。このようにした場合においても、アンテナ１５は底壁１１の底面最外周縁部にまで配設されていることから筐体部１０の外周側壁を目視しつつ電子タグＴに対向させることができることから、アンテナ１５を電子タグＴに容易にかつ正確に対向させることができるものであり、電子タグＴの情報の読取および書込の効率の向上をさせることができるとともに操作性を良くできるものである。
【００３７】
【発明の効果】
このように請求項１記載の発明は、本体の筐体部の底壁をアンテナ配置部とするとともに、アンテナを前記アンテナ配置部の外周部を含む略全領域に亘って配設したことから、ハンデーターミナルを電子タグＴに近接させてもアンテナを電子タグに容易にかつ正確に対向させることができるため、電子タグの情報からの読取または電子タグへの情報の書込の効率を向上させることができ、また、操作性を良くできるという効果を有するものである。
【００３８】
また、請求項２記載の発明は、本体の筐体部の底壁の外周部を前記筐体の外周側壁よりも外方に延出させてアンテナ配置部とし、このアンテナ配置部の外周部を含む略全領域に亘ってアンテナを配設したことから、アンテナ配置部の外周部を目視によって確認できる。そのため、アンテナを電子タグにさらに容易にかつ正確に対向させることができ、それにより、電子タグの情報の読取および書込の効率の向上をさせることができ、また、操作性を良くできるという効果を有するものである。
【図面の簡単な説明】
【図１】本発明のハンデーターミナルの平面図。
【図２】上記ハンデーターミナルの斜視図。
【図３】上記ハンデーターミナルのアンテナ配設部におけるアンテナの配設状態を示した図。
【図４】上記ハンデーターミナルのアンテナ配設部の他の実施の形態を示す図。
【図５】上記ハンデーターミナルのアンテナ配設部のさらに他の実施の形態を示す図。
【符号の説明】
１              ハンデーターミナル
２              ハンデーターミナルの本体
１０            筐体部（本体の一部）
１１            底壁（アンテナ配設部）
１１ａ、１１ｂ、１１ｃ    底壁の外周部
１２ａ          筐体部の前壁（外周部位）
１２ｂ、１２ｃ  筐体部の側壁（外周部位）
１５            アンテナ
２０            把手部（本体の一部）
Ｔ              電子タグ
【図１】
0003848454.tif 000002
【図２】
0003848454.tif 000003
【図３】
0003848454.tif 000004
【図４】
0003848454.tif 000005
【図５】
0003848454.tif 000006